(57)【要約】【課題】簡易な構造で、台上戴置と壁掛とを変更可能な液晶テレビジョンおよび液晶表示装置用スタンド構造を提供する。【解決手段】キャビネット１５の背面に装着され、同キャビネットを傾斜させた状態で支持するスタンド２０と、同キャビネットの背面に形成されてスタンド２０を回動可能に支持する支持構造と、同キャビネットの背面に形成されるネジ穴１５ｄと、同スタンドに上下方向に長細に形成される長穴２０ｃと、Ｔ字型のネジであり、先端がネジ穴１５ｄに螺合しつつネジ頭が長穴２０ｃを通過可能であり、同ネジ頭の角度により長穴２０ｃの通過可能と通過不可能とを切替可能な傾斜角調整ネジ３０と、同傾斜角調整ネジの回転を抑制する回転抑制構造と、スタンド２０の下部に幅広の穴として形成される取手穴２０ｆと、スタンド２０を略上下反転させると長穴２０ｃと係合する位置に形成される第三のフック１５ｃとを備えさせる。【選択図】図２
2007235692.tif 000002
【特許請求の範囲】
【請求項１】
略矩形の開口より画面を露出させる樹脂製のキャビネットに覆われ、テレビ放送を受信して対応する映像を同画面に表示する液晶テレビジョンにおいて、
上記キャビネットの背面に装着され、同キャビネットを傾斜させた状態で支持するスタンドと、
上記背面の左右にオフセットした位置にそれぞれ下向きの鉤状に形成されて、上記スタンドを回動可能に支持する第一のフックおよび第二のフックとにより構成される支持構造と、
上記背面に形成されるネジ穴と、
上記スタンドに上下方向に長細に形成される長穴と、
Ｔ字型のネジであり、先端が上記ネジ穴に螺合して上記キャビネットの背面に対して略垂直となりつつネジ頭が上記長穴を通過可能であり、同ネジ頭が略上下方向に配向していると上記長穴を通過可能となり、同ネジ頭が略左右方向に配向していると上記長穴を通過不可能となり、同ネジ頭が上記スタンドの外側に位置しつつ略左右方向に配向することで上記スタンドの傾斜角を調整可能な傾斜角調整ネジと、
上記ネジ頭の上記スタンドに面する側の端部に形成される突起と、上記長穴の左右に平行に形成される溝と、が係合することにより上記傾斜角調整ネジの回転を抑制する回転抑制構造と、
上記スタンドの下部に幅広の穴として形成され、上記スタンドを略上下反転させるとともに上記支持構造にて支持させることにより上記キャビネットの上部に現れる取手穴と、
上記スタンドを略上下反転させると上記長穴と係合する位置に形成されるフックと、
上記スタンドを略上下反転させたとき、上記取手穴の上部の重心を保持する位置に凹みとして形成される壁掛構造と、
上記スタンドの上記キャビネットに面する側の下部に形成されるリブにより回動可能に支持され、上記スタンドが上記キャビネットを傾斜させた状態で支持する際、上記スタンドより上記キャビネットに持たれ掛けることにより上記スタンドと上記キャビネットの成す角を維持する傾斜角維持部材と、
上記取手穴の握り部分の内部にインサートされて同取手穴を補強する金属製の補強部材と、
を備えることを特徴とする液晶テレビジョン。
【請求項２】
液晶表示装置の背面に装着され、同液晶表示装置を傾斜させた状態で支持するスタンドと、
上記液晶表示装置の背面に形成されて上記スタンドを回動可能に支持する支持構造と、
上記液晶表示装置の背面に形成されるネジ穴と、
上記スタンドに上下方向に長細に形成される長穴と、
Ｔ字型のネジであり、先端が上記ネジ穴に螺合しつつネジ頭が上記長穴を通過可能であり、同ネジ頭の角度により上記長穴の通過可能と通過不可能とを切替可能な傾斜角調整ネジと、
上記傾斜角調整ネジの回転を抑制する回転抑制構造と、
上記スタンドの下部に幅広の穴として形成され、上記スタンドを略上下反転させるとともに上記支持構造にて支持させることにより上記液晶表示装置の上部に現れる取手穴と、
上記スタンドを略上下反転させると上記長穴と係合する位置に形成されるフックと
上記スタンドを略上下反転させたとき、同スタンドの上記液晶表示装置の上部に現れる部位において上記液晶表示装置の重心を保持する位置に形成される壁掛構造と、
を備えることを特徴とする液晶表示装置用スタンド構造。
【請求項３】
上記スタンドが上記液晶表示装置を傾斜させた状態で支持する際、上記スタンドと上記液晶表示装置の成す角を維持する傾斜角維持部材を備えることを特徴とする上記請求項２に記載の液晶表示装置用スタンド構造。
【請求項４】
上記スタンドは、上記取手穴の握りを補強する補強部材を備えることを特徴とする上記請求項２または上記請求項３に記載の液晶表示装置用スタンド構造。
【発明の詳細な説明】
【技術分野】
【０００１】
本発明は、液晶テレビジョンおよび液晶表示装置用スタンド構造に関する。
【背景技術】
【０００２】
従来においては、図７および図８に示されるようなスタンド構造が採用されていた。図８において、液晶表示装置９は、概略、キャビネット４を所定の角度で傾斜させた状態で支持するスタンド部材１と、スタンド部材１の先端部が取り付けられる保持部材２と、キャビネット４の背面に取り付けられ、保持部材２が回動可能に取り付けられるベース部材３とから成る。また、図７において、ベース部材３は、概略、ネジ穴３ｃと、凹部３ｄと、支点３ａと、保持部材ストッパ部３ｂより構成されている。
【０００３】
ベース部材３は、４つのネジ穴３ｃを介して、キャビネット４の背面に対してねじにより取り付けられている。また、保持部材２は、ベース部材３の支点３ａの回りに回動可能に取り付けられている。そして、ベース部材３に対して保持部材２を回動させた場合に、保持部材２のストッパ部受け面２ｂと、ベース部材３の保持部材ストッパ部３ｂとが所定の開き角度で当接するように構成されている。
【０００４】
特許文献１〜３には、平面型ディスプレイの据付装置を、壁掛用と台上戴置用とに共用できる構造について開示されている。
【特許文献１】実開平７−７２７３号
【特許文献２】特開２００１−２３６０２４号
【特許文献３】登実３０６８１９８号
【発明の開示】
【発明が解決しようとする課題】
【０００５】
しかしながら、上述したスタンド構造では、台上に戴置する用途しかなく、壁掛利用などの用途が提供できなかった。このような課題に鑑みてなされた特許文献１の平面型ディスプレイの据付装置では、据え置き利用の場合に角度調整が出来なかった。
また、特許文献２に記載の画像表示装置の壁掛機構では、構造が複雑である上に、壁掛に使用する場合は、チルトユニットを壁にビス固定するとともにスタンドとチルトユニットとを接続するネジの取り外し作業を画像表示装置の後ろの狭い空間にて行う必要があり、付け替え作業が大変であった。また、特許文献３に記載の液晶表示器では、連結部材と組立板とをネジ止めする必要があり不便であった。
本発明は、上記課題にかんがみてなされたもので、簡易な構造であるとともに、簡単な作業で台上戴置と壁掛とを変更可能な液晶テレビジョンおよび液晶表示装置用スタンド構造の提供を目的とする。
【課題を解決するための手段】
【０００６】
上記課題を解決するために、本発明の請求項１にかかる発明では、略矩形の開口より画面を露出させる樹脂製のキャビネットに覆われ、テレビ放送を受信して対応する映像を同画面に表示する液晶テレビジョンにおいて、上記キャビネットの背面に装着され、同キャビネットを傾斜させた状態で支持するスタンドと、上記背面の左右にオフセットした位置にそれぞれ下向きの鉤状に形成されて、上記スタンドを回動可能に支持する第一のフックおよび第二のフックとにより構成される支持構造と、上記背面に形成されるネジ穴と、上記スタンドに上下方向に長細に形成される長穴と、Ｔ字型のネジであり、先端が上記ネジ穴に螺合して上記キャビネットの背面に対して略垂直となりつつネジ頭が上記長穴を通過可能であり、同ネジ頭が略上下方向に配向していると上記長穴を通過可能となり、同ネジ頭が略左右方向に配向していると上記長穴を通過不可能となり、同ネジ頭が上記スタンドの外側に位置しつつ略左右方向に配向することで上記スタンドの傾斜角を調整可能な傾斜角調整ネジと、上記ネジ頭の上記スタンドに面する側の端部に形成される突起と、上記長穴の左右に平行に形成される溝と、が係合することにより上記傾斜角調整ネジの回転を抑制する回転抑制構造と、上記スタンドの下部に幅広の穴として形成され、上記スタンドを略上下反転させるとともに上記支持構造にて支持させることにより上記キャビネットの上部に現れる取手穴と、上記スタンドを略上下反転させると上記長穴と係合する位置に形成されるフックと、上記スタンドを略上下反転させたとき、上記取手穴の上部の重心を保持する位置に凹みとして形成される壁掛構造と、上記スタンドの上記キャビネットに面する側の下部に形成されるリブにより回動可能に支持され、上記スタンドが上記キャビネットを傾斜させた状態で支持する際、上記スタンドより上記キャビネットに持たれ掛けることにより上記スタンドと上記キャビネットの成す角を維持する傾斜角維持部材と、上記取手穴の握り部分の内部にインサートされて同取手穴を補強する金属製の補強部材と、を備える構成としてある。
【０００７】
また、上記目的を達成するために、請求項２に記載の液晶表示装置用スタンド構造では、液晶表示装置の背面に装着され、同液晶表示装置を傾斜させた状態で支持するスタンドと、上記液晶表示装置の背面に形成されて上記スタンドを回動可能に支持する支持構造と、上記液晶表示装置の背面に形成されるネジ穴と、上記スタンドに上下方向に長細に形成される長穴と、Ｔ字型のネジであり、先端が上記ネジ穴に螺合しつつネジ頭が上記長穴を通過可能であり、同ネジ頭の角度により上記長穴の通過可能と通過不可能とを切替可能な傾斜角調整ネジと、上記傾斜角調整ネジの回転を抑制する回転抑制構造と、上記スタンドの下部に幅広の穴として形成され、上記スタンドを略上下反転させるとともに上記支持構造にて支持させることにより上記液晶表示装置の上部に現れる取手穴と、上記スタンドを略上下反転させると上記長穴と係合する位置に形成されるフックと上記スタンドを略上下反転させたとき、同スタンドの上記液晶表示装置の上部に現れる部位において上記液晶表示装置の重心を保持する位置に形成される壁掛構造と、を備える構成としてある。
【０００８】
そして、請求項３にかかる発明では、上記請求項２に記載の液晶表示装置用スタンド構造において、上記スタンドが上記液晶表示装置を傾斜させた状態で支持する際、上記スタンドと上記液晶表示装置の成す角を維持する傾斜角維持部材を備える構成としてある。
【０００９】
さらに、請求項４にかかる発明では、上記請求項２または上記請求項３に記載の液晶表示装置用スタンド構造において、上記スタンドは、上記取手穴の握りを補強する補強部材を備える構成としてある。
【発明の効果】
【００１０】
以上説明したように本発明によれば、簡易な構造であるとともに、簡単な作業で台上戴置と壁掛とを変更可能な液晶テレビジョンおよび液晶表示装置用スタンド構造を提供することができる。
また請求項３にかかる発明によれば、より安定した台上戴置が可能な液晶表示装置用スタンド構造を提供することが出来る。
そして請求項４にかかる発明によれば、壁掛および持ち運び時において、より丈夫な取手を備える液晶表示装置用スタンド構造を提供することが出来る。
さらに請求項１のような、より具体的な構成において、上述した請求項２〜請求項４の各発明と同様の作用を奏することはいうまでもない。
【発明を実施するための最良の形態】
【００１１】
以下、下記の順序に従って本発明の実施形態を説明する。
（１）液晶テレビジョンの概略構成：
（２）スタンド構造：
（３）組立と付け替え：
（４）まとめ：
【００１２】
（１）液晶テレビジョンの概略構成： 
図１には、本実施例における液晶表示装置としての液晶テレビジョンの概略構成を説明するブロック図を示す。
同図において、液晶テレビジョン１１は、本体の動作を制御するコントローラ１１ｂと、図示していないアンテナで受信されるテレビ放送信号から選択されているチャンネルのテレビ放送信号を抽出して出力するチューナ１１ｄと、同チューナ１１ｄが出力したテレビ放送信号に基く映像を液晶表示パネル１１ｅの画面に表示する映像処理部１１ｆと、同チューナ１１ｄが出力したテレビ放送信号に基く音声をスピーカ１１ｇから出力する音声処理部１１ｈと、リモコン１１ｃから送信されてきた制御コマンドを受信するリモコン受信部１１ａとを備える。
【００１３】
コントローラ１１ｂは、リモコン受信部１１ａで受信した制御コマンドに応じて、電源のオン／オフ、チャンネルの切換、音量のアップ／ダウン等を制御する。尚、液晶テレビジョン１１の各部には、図示していない電源回路から動作電源が供給されている。この電源回路の供給元は、商用電源（例えば、ＡＣ１００Ｖ）である。
以上の構成により、液晶テレビジョン１１は、テレビ放送を受信して対応する映像を液晶表示パネル１１ｅの画面に表示する。
【００１４】
（２）スタンド構造： 
【００１５】
本実施例における液晶表示装置用スタンド構造を図２〜５を参照して説明する。図２は台上に戴置された状態のスタンド構造の斜視図、図３は台上戴置と壁掛とを変更する際の傾斜角調整ネジ３０が長穴２０ｃより取り外し可能になっている状態の斜視図、図４は壁掛状態のスタンド構造の斜視図、図５は台上に戴置された状態のスタンド構造の側面図である。図２〜５において、液晶テレビジョン１１は、その構成の一部としての樹脂製のキャビネット１５にて覆われており、図には示されていないが、前面側に形成された略矩形の開口より液晶表示パネル１１ｅの映像表示面であるところの画面を露出させている。
【００１６】
スタンド２０は、樹脂により形成されて、キャビネット１５の背面に装着され、同キャビネットを傾斜させた状態で支持する。スタンド２０には、概略、第一の支持部材２０ａと、第二の支持部材２０ｂと、長穴２０ｃと、第一の溝２０ｄと、第二の溝２０ｅと、取手穴２０ｆと、凹み２０ｇと、第一のリブ２０ｈと、第二のリブ２０ｉとが形成れる。また、キャビネット１５は、概略、第一のフック１５ａと、第二のフック１５ｂと、第三のフック１５ｃと、ネジ穴１５ｄと、すべり止め１５ｅとが形成される。
【００１７】
第一の支持部材２０ａと第二の支持部材２０ｂは、スタンド２０の上部において、左右対称、かつ、左右方向に略垂直に突出する断面円形の突起として形成される。第一のフック１５ａと第二のフック１５ｂは、キャビネット１５の背面において、左右にオフセットした位置にそれぞれ下向きの鉤状に形成されて、第一の支持部材２０ａと第二の支持部材２０ｂをそれぞれ保持しつつ回動可能に支持する。従って、第一の支持部材２０ａと第二の支持部材２０ｂは、第一のフック１５ａと第二のフック１５ｂにそれぞれ係合して、スタンド２０をキャビネット１５に対して回動可能に支持する支持構造を構成する。
【００１８】
傾斜角調整ネジ３０は、ネジ頭が左右方向にに張り出すとともに前後方向に薄く形成されたＴ字型のネジであり、先端がネジ穴１５ｄに螺合してキャビネット１５の背面に対して略垂直となりつつネジ頭が長穴２０ｃを通過可能となっている。つまり、ネジ頭が略上下方向に長細になるように配向していると長穴２０ｃの幅よりも幅狭に形成されているため同長穴２０ｃを通過可能となり、同ネジ頭が略左右方向に長細となるように配向していると長穴２０ｃの幅よりも幅広となるため同長穴２０ｃを通過不可能となる。すなわち、ネジ頭の角度により、長穴２０ｃの通過可能と通過不可能とを切替可能となる。
【００１９】
また傾斜角調整ネジ３０のネジ頭を長穴２０ｃの外側に位置させるとともにネジ穴１５ｄに螺合させた状態で、傾斜角調整ネジ３０とネジ穴１５ｄとの螺合の度合いを変化させて螺子頭を略左右方向に配向させることにより、スタンド２０の傾斜角における最大の開き角を調整可能となる。
【００２０】
長穴２０ｃは、スタンド２０の略中央から上部にかけて上下に長い穴として形成される。また、同長穴２０ｃは、傾斜角調整ネジ３０が略左右方向に長細となるように配向していると通過できず、傾斜角調整ネジ３０が略上下方向に長細となるように配向していると通過できる幅と長さに形成されている。また、長穴２０ｃの上下方向の長さは、スタンド２０が傾斜角調整ネジ３０にて様々な傾斜角に調整されても、ネジ頭が略上下方向に配向すると、通過可能な長さに形成されている。
【００２１】
第一の溝２０ｄおよび第二の溝２０ｅは、長穴２０ｃの左右に平行に形成される。また、傾斜角調整ネジ３０がスタンド２０の傾斜角を開き方向に対して抑制している状態で、傾斜角調整ネジ３０がスタンド２０と接する面には、第一の突起３０ｃと第二の突起３０ｄとが形成される。同状態において、第一の溝２０ｄと第二の溝２０ｅは、それぞれ第一の突起３０ｃと第二の突起３０ｄに係合することにより、傾斜角調整ネジ３０の回転を抑制し、回転抑制構造を構成している。第一の溝２０ｄおよび第二の溝２０ｅは、図のように連続的に形成される他、スタンド２０の傾斜角により決まる傾斜角調整ネジ３０とスタンド２０の接触する部位にのみ離散的に形成されても構わない。
【００２２】
また、上記回転抑制構造としては、図６のように、傾斜角調整ネジ３０の円柱部３０ｂにおける基部を、長穴２０ｃの幅に対して嵌合するサイズの角型とすることによっても実現可能である。すなわち、ネジ頭の基部側がスタンド２０と接した状態では上記基部が長穴２０ｃと嵌合係合して傾斜角調整ネジ３０の回転を抑制し、スタンド２０をネジ頭の基部より離すと傾斜角調整ネジ３０の回転が可能となる。
【００２３】
そして、スタンド２０の下部には、取手穴２０ｆが穴として形成される。取手穴２０ｆは、幅広の穴として形成され、スタンド２０を略上下反転させるとともに上記支持構造にて支持させることにより、図３のようにキャビネット１５の上部に現れ、取手穴２０ｆを持つことにより液晶テレビジョン１１を持ち運んだり、取手穴２０ｆを壁掛構造に利用したりすることが可能となる。
【００２４】
また、スタンド２０を略上下反転させたとき、取手穴２０ｆの上部において、重心を保持する位置に凹み２０ｇを形成すると、壁掛構造に利用する際の支点となる。これにより、液晶テレビジョン１１を壁掛にて利用する際に、バランスよく壁にかけることが可能となる。
【００２５】
加えて、取手穴２０ｆの握り部分を補強部材にて補強しても構わない。補強部材としては、取手穴２０ｆの握り部分の内部にインサートされて同取手穴を補強する金属製の部材などが考えられる。また、内部にインサートされなくとも、取手穴２０ｆの形状に合わせた金属にて外部より取手穴２０ｆを補強しても、無論構わない。
【００２６】
さらに、キャビネット１５の背面には、第三のフック１５ｃが形成される。第三のフック１５ｃは同第三のフック１５ｃは、スタンド２０が略上下反転されるとともに、支持構造にて支持された状態で、長穴２０ｃの下端と接するように形成される。つまり、第三のフック１５ｃは、下向きの鉤状であるとともに、スタンド２０が略上下反転された状態での長穴２０ｃの下端に係合する位置に形成される。
【００２７】
スタンド２０のキャビネット１５に面する側の下部には、リブ２０ｈとリブ２０ｉとが形成され、傾斜角維持部材４０が取り付けられる。リブ２０ｈとリブ２０ｉとは互いに左右にオフセットした位置に形成されるとともに互いに面する側に円形の穴が形成され、傾斜角維持部材４０には一方の端の両側方に向かって該円形の穴に対応する位置に突起が形成され、該突起を該円形の穴にはめ込むことにより、リブ２０ｈとリブ２０ｉとが傾斜角維持部材４０をスタンド２０に対して回動可能に支持する。
【００２８】
スタンド２０がキャビネット１５を傾斜させた状態に支持する際、スタンド２０よりキャビネット１５に対して傾斜角維持部材４０を持たれ掛けさせることによりスタンド２０とキャビネット１５との成す角を維持する。すなわち、傾斜角調整ネジ３０がスタンド２０とキャビネット１５との成す角が開く方向に対して規制するとともに、傾斜角維持部材４０がスタンド２０とキャビネット１５との成す角が閉じる方向に対して規制する。
【００２９】
また、傾斜角維持部材４０がキャビネット１５に対して持たれかけさせられたとき、キャビネット１５と傾斜角維持部材４０の接触部分には、すべり止め１５ｅが形成される。すべり止め１５ｅは、キャビネット１５に形成されてもよいし、傾斜角維持部材４０の側に形成されてもよいし、両者に形成されてもよい。すべり止め１５ｅとしては、図３のようにキャビネットの側にギザギザとして形成されたり、傾斜角維持部材４０の先端をゴム状のすべり止めとしたり、スタンド２０の傾斜角に対応する位置に複数の溝として形成されたりして実現可能である。
また、リブ２０ｈとリブ２０ｉをキャビネット１５の側に形成して傾斜角維持部材４０を取り付け、スタンド２０と傾斜角維持部材４０の接触部分にすべり止め１５ｅを形成しても構わない。
【００３０】
さらに、キャビネット１５のネジ穴１５ｄの下に、傾斜角調整ネジ３０を回転可能に保持するとともに同傾斜角調整ネジ３０が抜け落ちないように形成されたネジ保持部材３１を取り付けても構わない。図３において、ネジ保持部材３１は、ちょうつがい構造を持つとともに、一方の板材がキャビネット１５に固定され、他方の板材がちょうつがい構造を軸に回動可能となっている。また、回動可能な板材は、傾斜角調整ネジ３０の円柱部３０ｂが抜き差し可能となる径の穴を有するとともに、傾斜角調整ネジ３０の先端部分の一部を該径よりも大きくすることにより傾斜角調整ネジ３０が抜け落ちないようになっている。また、回動可能な板材をキャビネット１５の背面に向けて回動させると傾斜角調整ネジ３０がネジ穴１５ｄの位置に合うように取り付けられる。
【００３１】
このネジ保持部材３１により、スタンド２０を壁掛として使用する際に、傾斜角調整ネジ３０をネジ穴１５ｄより抜きつつもキャビネット１５から外れない為、傾斜角調整ネジ３０を紛失することがなくなる。また、傾斜角調整ネジ３０がキャビネット１５に沿って垂れ下がる為省スペースを実現できる。
【００３２】
（３）組立と付け替え： 
以下に、スタンド２０の傾斜角調整と、壁掛として使用する際の付け替えについて説明する。
まず、傾斜角を調整する際は、傾斜角維持部材４０を垂直方向に起こし、支持構造であるところの第一のフック１５ａおよび第二のフック１５ｂを支点にスタンド２０をキャビネット１５に近づける。すると、回転抑止構造であるところの第一の溝２０ｄおよび第二の溝２０ｅが第一の突起３０ｃおよび第二の突起３０ｄより外れ、傾斜角調整ネジ３０が回転可能となる。
【００３３】
傾きを浅くしたいときは傾斜角調整ネジ３０をネジ穴１５ｄにねじ込むように回転させ、傾きを深くしたいときには傾斜角調整ネジ３０をネジ穴１５ｄから抜く方向に回転させる。然る後に、傾斜角調整ネジ３０のネジ頭を略左右方向に配向させてスタンド２０がネジ頭に接するまで傾斜させる。すると、スタンド２０が開く動きを傾斜角調整ネジ３０が規制するとともに、第一の溝２０ｄおよび第二の溝２０ｅが第一の突起３０ｃおよび第二の突起３０ｄに係合して傾斜角調整ネジ３０の回転が抑制される。そして、傾斜角維持部材４０を倒しこむとスタンド２０が閉じる動きを規制する。
【００３４】
次に、壁掛として使用する際は、傾斜角維持部材４０を垂直方向に起こし、支持構造であるところの第一のフック１５ａおよび第二のフック１５ｂを支点にスタンド２０をキャビネット１５に近づける。すると、回転抑止構造であるところの第一の溝２０ｄおよび第二の溝２０ｅが第一の突起３０ｃおよび第二の突起３０ｄより外れ、傾斜角調整ネジ３０が回転可能となる。
【００３５】
そして、傾斜角調整ネジ３０のネジ頭を略上下方向に配向させてスタンド２０をキャビネットから離すことにより、傾斜角調整ネジ３０を長穴２０ｃから抜く。しかるのちに、スタンド２０の上下を略反転させ、第一のフック１５ｂと第二のフック１５ａとに第一の支持部材１０ａと第二の支持部材１０ｂとを係合させるとともに第三のフック１５ｃを長穴２０ｃの端部に係合させる。
【００３６】
このとき、傾斜角調整ネジ３０はネジ穴から抜かれるとともに、ネジ保持部材３１によりキャビネット１５と略平行にぶらされられる。また、傾斜角維持部材４０もスタンド２０に沿ってぶら下がる格好となる。このとき凹み２０ｇにて壁にかけるために、傾斜角維持部材４０が凹み２０ｇを遮らないようにしておくと好適である。
【００３７】
（４）まとめ： 
つまり、キャビネット１５の背面に装着され、同キャビネットを傾斜させた状態で支持するスタンド２０と、同キャビネットの背面に形成されてスタンド２０を回動可能に支持する支持構造と、同キャビネットの背面に形成されるネジ穴１５ｄと、同スタンドに上下方向に長細に形成される長穴２０ｃと、Ｔ字型のネジであり、先端がネジ穴１５ｄに螺合しつつネジ頭が長穴２０ｃを通過可能であり、同ネジ頭の角度により長穴２０ｃの通過可能と通過不可能とを切替可能な傾斜角調整ネジ３０と、同傾斜角調整ネジの回転を抑制する回転抑制構造と、スタンド２０の下部に幅広の穴として形成される取手穴２０ｆと、スタンド２０を略上下反転させると長穴２０ｃと係合する位置に形成される第三のフック１５ｃとを備えさせる。
【００３８】
以上説明したように、本実施例に対応する請求項２にかかる液晶表示装置用スタンド構造では、液晶表示装置の背面に装着され、同液晶表示装置を傾斜させた状態で支持するスタンドと、上記液晶表示装置の背面に形成されて上記スタンドを回動可能に支持する支持構造と、上記液晶表示装置の背面に形成されるネジ穴と、上記スタンドに上下方向に長細に形成される長穴と、Ｔ字型のネジであり、先端が上記ネジ穴に螺合しつつネジ頭が上記長穴を通過可能であり、同ネジ頭の角度により上記長穴の通過可能と通過不可能とを切替可能な傾斜角調整ネジと、上記傾斜角調整ネジの回転を抑制する回転抑制構造と、上記スタンドの下部に幅広の穴として形成され、上記スタンドを略上下反転させるとともに上記支持構造にて支持させることにより上記液晶表示装置の上部に現れる取手穴と、上記スタンドを略上下反転させると上記長穴と係合する位置に形成されるフックと上記スタンドを略上下反転させたとき、同スタンドの上記液晶表示装置の上部に現れる部位において上記液晶表示装置の重心を保持する位置に形成される壁掛構造と、を備える構成としてある。
上記のように構成した請求項２に記載の発明においては、簡易な構造であるとともに、簡単な作業で台上戴置と壁掛とを変更可能な液晶テレビジョンおよび液晶表示装置用スタンド構造を提供することができる。
【００３９】
そして、請求項３にかかる発明では、上記請求項２に記載の液晶表示装置用スタンド構造において、上記スタンドが上記液晶表示装置を傾斜させた状態で支持する際、上記スタンドと上記液晶表示装置の成す角を維持する傾斜角維持部材を備える構成としてある。
上記のように構成した請求項３に記載の発明においては、より安定した台上戴置が可能な液晶表示装置用スタンド構造を提供することが出来る。
【００４０】
さらに、請求項４にかかる発明では、上記請求項２または上記請求項３に記載の液晶表示装置用スタンド構造において、上記スタンドは、上記取手穴の握りを補強する補強部材を備える構成としてある。
上記のように構成した請求項４に記載の発明においては、壁掛および持ち運び時において、より丈夫な取手を備える液晶表示装置用スタンド構造を提供することが出来る。
【００４１】
以上の構成を踏まえた上で、請求項１の発明は略矩形の開口より画面を露出させる樹脂製のキャビネットに覆われ、テレビ放送を受信して対応する映像を同画面に表示する液晶テレビジョンにおいて、上記キャビネットの背面に装着され、同キャビネットを傾斜させた状態で支持するスタンドと、上記背面の左右にオフセットした位置にそれぞれ下向きの鉤状に形成されて、上記スタンドを回動可能に支持する第一のフックおよび第二のフックとにより構成される支持構造と、上記背面に形成されるネジ穴と、上記スタンドに上下方向に長細に形成される長穴と、Ｔ字型のネジであり、先端が上記ネジ穴に螺合して上記キャビネットの背面に対して略垂直となりつつネジ頭が上記長穴を通過可能であり、同ネジ頭が略上下方向に配向していると上記長穴を通過可能となり、同ネジ頭が略左右方向に配向していると上記長穴を通過不可能となり、同ネジ頭が上記スタンドの外側に位置しつつ略左右方向に配向することで上記スタンドの傾斜角を調整可能な傾斜角調整ネジと、上記ネジ頭の上記スタンドに面する側の端部に形成される突起と、上記長穴の左右に平行に形成される溝と、が係合することにより上記傾斜角調整ネジの回転を抑制する回転抑制構造と、上記スタンドの下部に幅広の穴として形成され、上記スタンドを略上下反転させるとともに上記支持構造にて支持させることにより上記キャビネットの上部に現れる取手穴と、上記スタンドを略上下反転させると上記長穴と係合する位置に形成されるフックと、上記スタンドを略上下反転させたとき、上記取手穴の上部の重心を保持する位置に凹みとして形成される壁掛構造と、上記スタンドの上記キャビネットに面する側の下部に形成されるリブにより回動可能に支持され、上記スタンドが上記キャビネットを傾斜させた状態で支持する際、上記スタンドより上記キャビネットに持たれ掛けることにより上記スタンドと上記キャビネットの成す角を維持する傾斜角維持部材と、上記取手穴の握り部分の内部にインサートされて同取手穴を補強する金属製の補強部材と、を備える構成としてある。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４３】
【図１】本発明の実施例にかかる液晶テレビジョンの概略構成ブロック図である。
【図２】台上に戴置された状態のスタンド構造の斜視図である。
【図３】台上戴置と壁掛とを変更する際の傾斜角調整ネジ３０が長穴２０ｃより取り外し可能になっている状態の斜視図である。
【図４】壁掛状態のスタンド構造の斜視図である。
【図５】台上に戴置された状態のスタンド構造の側面図である。
【図６】回転抑止構造の変形例である。
【図７】従来のスタンド構造におけるスタンドの保持部材とスタンド部材とを示した斜視図である。
【図８】従来のスタンド構造を採用した液晶テレビジョンの側面図である。
【符号の説明】
【００４４】
１１…液晶テレビジョン
１５…キャビネット
１５ａ…第一のフック
１５ｂ…第二のフック
１５ｃ…第三のフック
１５ｄ…ネジ穴
１５ｅ…すべり止め
２０…スタンド
２０ａ…第一の支持部材
２０ｂ…第二の支持部材
２０ｃ…長穴
２０ｄ…第一の溝
２０ｅ…第二の溝
２０ｆ…取手穴
２０ｇ…凹み
２０ｈ…第一のリブ
２０ｉ…第二のリブ
３０…傾斜角調整ネジ
３０ａ…ネジ頭
３０ｂ…円柱部
３０ｃ…第一の突起
３０ｄ…第二の突起
３１…ネジ保持部材
４０…傾斜角維持部材
【図１】
2007235692.tif 000003
【図２】
2007235692.tif 000004
【図３】
2007235692.tif 000005
【図４】
2007235692.tif 000006
【図５】
2007235692.tif 000007
【図６】
2007235692.tif 000008
【図７】
2007235692.tif 000009
【図８】
2007235692.tif 000010